(57)【特許請求の範囲】
【請求項１】
ロック状態を示すロック画面を表示する表示部と、
操作の入力を検出する操作部と、
前記操作部により第１の操作の入力が検出された場合、前記ロック状態を解除する制御部と、を備え、
前記制御部は、
所定のアプリケーションにより生成される設定オブジェクトを、前記ロック画面に含めて表示させるよう前記表示部を制御し、
前記設定オブジェクトの編集が行われる前は、前記アプリケーションを起動するための第２の操作を説明するガイダンス情報を前記設定オブジェクトに含めて表示するよう前記表示部を制御し、
前記設定オブジェクトの編集が完了した後は、当該ガイダンス情報に代えて、編集された前記設定オブジェクトを表示するよう前記表示部を制御することを特徴とする携帯電子機器。
【請求項２】
前記制御部は、
前記表示部が前記ロック画面上に前記設定オブジェクトを表示している状態で、前記操作部により第２の操作の入力が検出された場合、前記ロック状態を一部解除して、前記設定オブジェクトに対応付けられた前記アプリケーションを起動し、
起動した当該アプリケーションにより前記設定オブジェクトの編集が完了した後、前記ロック画面に戻り、編集された当該設定オブジェクトを前記ロック画面に含めて表示させるよう前記表示部を制御することを特徴とする請求項１に記載の携帯電子機器。
【請求項３】
前記アプリケーションは、テキストエディタであり、
前記制御部は、
前記操作部により前記第２の操作の入力が検出された場合、前記ロック状態を一部解除して前記テキストエディタを起動し、
当該テキストエディタによる文字入力が完了した後、前記ロック画面に戻り、入力された文字列を含む前記設定オブジェクトを前記ロック画面に含めて表示させるよう前記表示部を制御することを特徴とする請求項２に記載の携帯電子機器。
【請求項４】
前記アプリケーションは、画像ビューアーであり、
前記制御部は、
前記操作部により前記第２の操作の入力が検出された場合、前記ロック状態を一部解除して前記画像ビューアーを起動し、当該画像ビューアーによる画像選択が完了した後、前記ロック画面に戻り、選択された画像を含む前記設定オブジェクトを前記ロック画面に含めて表示させるよう前記表示部を制御することを特徴とする請求項２に記載の携帯電子機器。
【請求項５】
前記アプリケーションは、スケジューラーであり、
前記制御部は、
前記操作部により前記第２の操作の入力が検出された場合、前記ロック状態を一部解除して前記スケジューラーを起動し、当該スケジューラーによるスケジュールの選択が完了した後、前記ロック画面に戻り、選択されたスケジュールを含む前記設定オブジェクトを前記ロック画面に含めて表示させるよう前記表示部を制御することを特徴とする請求項２に記載の携帯電子機器。
【請求項６】
前記ロック状態は、第三者の不正利用を防止するための第１のロック状態であり、
前記制御部は、
前記ロック状態が前記第１のロック状態である場合は、前記操作部により前記第２の操作の入力が検出されると、前記第１のロック状態を一部解除して、前記設定オブジェクトに対応付けられた前記アプリケーションを起動することを特徴とする請求項２から５のいずれか１項に記載の携帯電子機器。
【請求項７】
前記ロック状態は、誤操作を防止するための第２のロック状態であり、
前記制御部は、
前記ロック状態が前記第２のロック状態である場合は、前記操作部により前記第２の操作の入力が検出されると、前記第２のロック状態を一部解除して、前記設定オブジェクトに対応付けられた前記アプリケーションを起動し、更に、前記設定オブジェクトに対応付けられた前記アプリケーション以外の他のアプリケーションおよび記憶データのショートカットを前記ロック画面上に設定可能とすることを特徴とする請求項２から５のいずれか１項に記載の携帯電子機器。
【請求項８】
ロック状態を示すロック画面を表示する表示部と、操作の入力を検出する操作部と、を備える携帯電子機器の制御方法であって、
前記操作部により第１の操作の入力が検出されたか否かを判定する第１判定ステップと、
前記第１判定ステップにて前記第１の操作の入力が検出されたと判定された場合、前記ロック状態を解除するロック解除ステップと、
所定のアプリケーションにより生成される設定オブジェクトを、前記ロック画面に含めて表示させるよう前記表示部を制御する第１表示ステップと、
前記設定オブジェクトの編集が行われる前は、前記アプリケーションを起動するための第２の操作を説明するガイダンス情報を前記設定オブジェクトに含めて表示するよう前記表示部を制御するステップと、
前記設定オブジェクトの編集が完了した後は、当該ガイダンス情報に代えて、編集された前記設定オブジェクトを表示するよう前記表示部を制御するステップと、
を含むことを特徴とする制御方法。
【請求項９】
前記表示部が前記ロック画面上に前記設定オブジェクトを表示している状態で、前記操作部により第２の操作の入力が検出されたか否かを判定する第２判定ステップと、
前記第２判定ステップにて前記第２の操作の入力が検出されたと判定された場合、前記ロック状態を一部解除して、前記設定オブジェクトに対応付けられた前記アプリケーションを起動する起動ステップと、
前記起動ステップにて起動した当該アプリケーションにより前記設定オブジェクトの編集が完了した後、前記ロック画面に戻り、編集された当該設定オブジェクトを前記ロック画面に含めて表示させるよう前記表示部を制御する第２表示ステップと、
を更に含むことを特徴とする請求項８に記載の制御方法。
【請求項１０】
ロック状態を示すロック画面を表示する表示部と、操作の入力を検出する操作部と、を備える携帯電子機器に、
前記操作部により第１の操作の入力が検出されたか否かを判定する第１判定ステップと、
前記第１判定ステップにて前記第１の操作の入力が検出されたと判定された場合、前記ロック状態を解除するロック解除ステップと、
所定のアプリケーションにより生成される設定オブジェクトを、前記ロック画面に含めて表示させるよう前記表示部を制御する第１表示ステップと、
前記設定オブジェクトの編集が行われる前は、前記アプリケーションを起動するための第２の操作を説明するガイダンス情報を前記設定オブジェクトに含めて表示するよう前記表示部を制御するステップと、
前記設定オブジェクトの編集が完了した後は、当該ガイダンス情報に代えて、編集された前記設定オブジェクトを表示するよう前記表示部を制御するステップと、
を実行させることを特徴とする制御プログラム。
【請求項１１】
前記表示部が前記ロック画面上に前記設定オブジェクトを表示している状態で、前記操作部により第２の操作の入力が検出されたか否かを判定する第２判定ステップと、
前記第２判定ステップにて前記第２の操作の入力が検出されたと判定された場合、前記ロック状態を一部解除して、前記設定オブジェクトに対応付けられた前記アプリケーションを起動する起動ステップと、
前記起動ステップにて起動した当該アプリケーションにより前記設定オブジェクトの編集が完了した後、前記ロック画面に戻り、編集された当該設定オブジェクトを前記ロック画面に含めて表示させるよう前記表示部を制御する第２表示ステップと、
を更に実行させることを特徴とする請求項１０に記載の制御プログラム。
【発明の詳細な説明】
【技術分野】
【０００１】
本発明は、携帯電子機器、制御方法、および、制御プログラムに関する。
【背景技術】
【０００２】
近年、スマートフォン等のタッチパネルを備える携帯電子機器が一般化している（特許文献１参照）。また、携帯電子機器には、誤操作または他人による不正利用を防止することを目的に、画面ロックする機能が存在する（特許文献２参照）。
【先行技術文献】
【特許文献】
【０００３】
【特許文献１】特開２０１０−３９７７２号公報
【特許文献２】特開２０１１−４８２０４号公報
【発明の概要】
【発明が解決しようとする課題】
【０００４】
しかしながら、従来の携帯電子機器（特許文献１および２等）では、アプリケーションの機能を利用する場合、画面のロック状態を解除する必要があった。つまり、携帯電子機器では、画面のロック状態を解除するために、ディスプレイ照明をオンにし、タッチパネル上でロック解除操作を行う必要があった。そのため、携帯電子機器では、例えば、漢字の確認、英単語のスペルの確認、または簡単なメモを残すといった程度の場合であっても、ロック解除操作を行う必要があり、利用者にとって利便性が低いという問題点を有していた。
【０００５】
本発明は、上記問題点に鑑みてなされたもので、ロック状態を設定した場合でも操作性が高くかつ利便性が高い携帯電子機器、制御方法、および、制御プログラムを提供することを目的とする。
【課題を解決するための手段】
【０００６】
上述した課題を解決し、目的を達成するために、本発明に係る携帯電子機器は、ロック状態を示すロック画面を表示する表示部と、操作の入力を検出する操作部と、前記操作部により第１の操作の入力が検出された場合、前記ロック状態を解除する制御部と、を備え、前記制御部は、所定のアプリケーションにより生成される設定オブジェクトを、前記ロック画面に含めて表示させるよう前記表示部を制御することを特徴とする。
【０００７】
ここで、上記記載の携帯電子機器において、前記制御部は、前記表示部が前記ロック画面上に前記設定オブジェクトを表示している状態で、前記操作部により第２の操作の入力が検出された場合、前記ロック状態を一部解除して、前記設定オブジェクトに対応付けられた前記アプリケーションを起動し、起動した当該アプリケーションにより前記設定オブジェクトの編集が完了した後、前記ロック画面に戻り、編集された当該設定オブジェクトを前記ロック画面に含めて表示させるよう前記表示部を制御することが好ましい。
【０００８】
また、上記記載の携帯電子機器において、前記アプリケーションは、テキストエディタであり、前記制御部は、前記操作部により前記第２の操作の入力が検出された場合、前記ロック状態を一部解除して前記テキストエディタを起動し、当該テキストエディタによる文字入力が完了した後、前記ロック画面に戻り、入力された文字列を含む前記設定オブジェクトを前記ロック画面に含めて表示させるよう前記表示部を制御することが好ましい。
【０００９】
また、上記記載の携帯電子機器において、前記アプリケーションは、画像ビューアーであり、前記制御部は、前記操作部により前記第２の操作の入力が検出された場合、前記ロック状態を一部解除して前記画像ビューアーを起動し、当該画像ビューアーによる画像選択が完了した後、前記ロック画面に戻り、選択された画像を含む前記設定オブジェクトを前記ロック画面に含めて表示させるよう前記表示部を制御することが好ましい。
【００１０】
また、上記記載の携帯電子機器において、前記アプリケーションは、スケジューラーであり、前記制御部は、前記操作部により前記第２の操作の入力が検出された場合、前記ロック状態を一部解除して前記スケジューラーを起動し、当該スケジューラーによるスケジュールの選択が完了した後、前記ロック画面に戻り、選択されたスケジュールを含む前記設定オブジェクトを前記ロック画面に含めて表示させるよう前記表示部を制御することが好ましい。
【００１１】
また、上記記載の携帯電子機器において、前記制御部は、前記設定オブジェクトの編集が行われる前は、前記アプリケーションを起動するための前記第２の操作を説明するガイダンス情報を前記設定オブジェクトに含めて表示するよう前記表示部を制御し、前記設定オブジェクトの編集が完了した後は、当該ガイダンス情報に代えて、編集された前記設定オブジェクトを表示するよう前記表示部を制御することが好ましい。
【００１２】
また、上記記載の携帯電子機器において、前記ロック状態は、第三者の不正利用を防止するための第１のロック状態であり、前記制御部は、前記ロック状態が前記第１のロック状態である場合は、前記操作部により前記第２の操作の入力が検出されると、前記第１のロック状態を一部解除して、前記設定オブジェクトに対応付けられた前記アプリケーションを起動することが好ましい。
【００１３】
また、上記記載の携帯電子機器において、前記ロック状態は、誤操作を防止するための第２のロック状態であり、前記制御部は、前記ロック状態が前記第２のロック状態である場合は、前記操作部により前記第２の操作の入力が検出されると、前記第２のロック状態を一部解除して、前記設定オブジェクトに対応付けられた前記アプリケーションを起動し、更に、前記設定オブジェクトに対応付けられた前記アプリケーション以外の他のアプリケーションおよび記憶データのショートカットを前記ロック画面上に設定可能することが好ましい。
【００１４】
本発明に係る制御方法は、ロック状態を示すロック画面を表示する表示部と、操作の入力を検出する操作部と、を備える携帯電子機器の制御方法であって、前記操作部により第１の操作の入力が検出されたか否かを判定する第１判定ステップと、前記第１操作判定ステップにて前記第１の操作の入力が検出されたと判定された場合、前記ロック状態を解除するロック解除ステップと、所定のアプリケーションにより生成される前記設定オブジェクトを、前記ロック画面に含めて表示させるよう前記表示部を制御する第１表示ステップと、を含むことを特徴とする。
【００１５】
ここで、上記記載の制御方法は、前記表示部が前記ロック画面上に前記設定オブジェクトを表示している状態で、前記操作部により第２の操作の入力が検出されたか否かを判定する第２判定ステップと、前記第２判定ステップにて前記第２の操作の入力が検出されたと判定された場合、前記ロック状態を一部解除して、前記設定オブジェクトに対応付けられた前記アプリケーションを起動する起動ステップと、前記起動ステップにて起動した当該アプリケーションにより前記設定オブジェクトの編集が完了した後、前記ロック画面に戻り、編集された当該設定オブジェクトを前記ロック画面に含めて表示させるよう前記表示部を制御する第２表示ステップと、を更に含むことが好ましい。
【００１６】
本発明に係る制御プログラムは、ロック状態を示すロック画面を表示する表示部と、操作の入力を検出する操作部と、を備える携帯電子機器に、前記操作部により第１の操作の入力が検出されたか否かを判定する第１判定ステップと、前記第１判定ステップにて前記第１の操作の入力が検出されたと判定された場合、前記ロック状態を解除するロック解除ステップと、所定のアプリケーションにより生成される前記設定オブジェクトを、前記ロック画面に含めて表示させるよう前記表示部を制御する第１表示ステップと、を実行させることを特徴とする。
【００１７】
ここで、上記記載の制御プログラムは、上記記載の携帯電子機器に、前記表示部が前記ロック画面上に前記設定オブジェクトを表示している状態で、前記操作部により第２の操作の入力が検出されたか否かを判定する第２判定ステップと、前記第２判定ステップにて前記第２の操作の入力が検出されたと判定された場合、前記ロック状態を一部解除して、前記設定オブジェクトに対応付けられた前記アプリケーションを起動する起動ステップと、前記起動ステップにて起動した当該アプリケーションにより前記設定オブジェクトの編集が完了した後、前記ロック画面に戻り、編集された当該設定オブジェクトを前記ロック画面に含めて表示させるよう前記表示部を制御する第２表示ステップと、を更に実行させることが好ましい。
【発明の効果】
【００１８】
この発明によれば、ロックを完全に解除してしまうことなく利用者が所望するアプリケーションを利用可能とすることで、ロック状態を設定した場合でも操作性および利便性を向上させることができるという効果を奏する。
【図面の簡単な説明】
【００１９】
【図１】図１は、携帯電話端末の外観を示す正面図である。
【図２】図２は、携帯電話端末の機能的な構成を示すブロック図である。
【図３】図３は、携帯電話端末の処理の一例を示すフローチャートである。
【図４Ａ】図４Ａは、携帯電話端末が有するアプリケーションのうちテキストエディタを設定した場合の設定オブジェクトを含むロック画面の一例を示す図である。
【図４Ｂ】図４Ｂは、テキストエディタを起動した場合の操作画面の一例を示す図である。
【図４Ｃ】図４Ｃは、テキストエディタによる処理を反映させた設定オブジェクトを含むロック画面の一例を示す図である。
【図５Ａ】図５Ａは、携帯電話端末が有するアプリケーションのうち画像ビューアーを設定した場合の設定オブジェクトを含むロック画面の一例を示す図である。
【図５Ｂ】図５Ｂは、画像ビューアーを起動した場合の操作画面の一例を示す図である。
【図５Ｃ】図５Ｃは、画像ビューアーによる処理を反映させた設定オブジェクトを含むロック画面の一例を示す図である。
【図６Ａ】図６Ａは、携帯電話端末が有するアプリケーションのうちスケジューラーを設定した場合の設定オブジェクトを含むロック画面の一例を示す図である。
【図６Ｂ】図６Ｂは、スケジューラーを起動した場合の操作画面の一例を示す図である。
【図６Ｃ】図６Ｃは、スケジューラーによる処理を反映させた設定オブジェクトを含むロック画面の一例を示す図である。
【発明を実施するための形態】
【００２０】
以下、本発明につき図面を参照しつつ詳細に説明する。また、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話端末について説明するが、本発明の適用対象は携帯電話端末に限定されるものではなく、各種携帯電子機器、例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ゲーム機等に対しても本発明は適用できる。
【００２１】
まず、図１を参照しながら、本発明に係る携帯電子機器の一実施形態である携帯電話端末１の外観について説明する。図１は、携帯電話端末の外観を示す正面図である。図１に示すように、携帯電話端末１は、筐体２０を有し、その筐体２０の表面にタッチセンサ２Ａおよび表示部２Ｂで構成されるタッチパネル２と、入力部３と、レシーバ７と、マイク８と、を備える。
【００２２】
携帯電話端末１は、図１に示すように、筐体２０の正面側にタッチパネル２と、入力部３と、レシーバ７と、マイク８と、が配置されている。ここで、タッチパネル２は、筐体２０の正面側の略全域に配置されている。また、入力部３とマイク８とは、筐体２０の正面側の長手方向の一方の端部に配置されている。レシーバ７は、筐体２０の正面側の長手方向の他方の端部に配置されている。つまり、レシーバ７とマイク８とは、長手方向の両端にそれぞれ配置されている。ここで、タッチパネル２は、筐体２０の正面側に設けられ、文字、図形、画像等を表示するとともに、指、スタイラス、ペン等（以下、単に「指」という）を用いてタッチパネル２に対して行われる各種操作を検出する。また、入力部３は、所定の機能が割り当てられた第１ボタン３Ａおよび第２ボタン３Ｂ等の複数のボタンからなる。
【００２３】
次に、図２を参照しながら、携帯電話端末１の機能的な構成について説明する。図２は、携帯電話端末１の機能的な構成を示すブロック図である。図２に示すように、携帯電話端末１は、タッチパネル２と、入力部３と、電源部５と、通信部６と、レシーバ７と、マイク８と、記憶部９と、制御部１０と、ＲＡＭ（Ｒａｎｄｏｍ  Ａｃｃｅｓｓ  Ｍｅｍｏｒｙ）１１と、を有する。本実施形態では、タッチセンサ２Ａと入力部３とが操作部となる。
【００２４】
タッチパネル２は、文字、図形、画像等の各種の情報を表示する第１の機能を有する。タッチパネル２は、表示されたアイコン、ボタン等のオブジェクト、文字入力領域等の所定領域に対する入力操作を検出する第２の機能を有する。タッチパネル２は、タッチセンサ２Ａと、表示部２Ｂとを重畳して構成される。このタッチセンサ２Ａと表示部２Ｂとは、構成材料の一部を共有することが可能である。
【００２５】
タッチセンサ２Ａは、タッチパネル２の表面に対して行われる入力操作を検出し、検出した入力操作に応じた信号を制御部１０へ出力する。すなわち、タッチセンサ２Ａは、操作の入力を検出する操作部として機能する。タッチセンサ２Ａが各種操作を検出する方式は、静電容量方式、抵抗膜方式、表面弾性波方式（または超音波方式）、赤外線方式、電磁誘導方式、および荷重検出方式等の任意の方式でよい。タッチセンサ２Ａによって検出される操作には、タップ操作、ダブルタップ操作、ロングタップ操作、スイープ（スワイプ）操作、およびフリック操作等が含まれる。本実施形態では、第１の操作および第２の操作は、タップ操作、ダブルタップ操作、ロングタップ操作、スイープ（スワイプ）操作、およびフリック操作等を含むものとする。
【００２６】
タップ操作とは、指をタッチパネル２に接触させた後すぐにタッチパネル２から離す操作である。ダブルタップ操作とは、指をタッチパネル２に接触させた後すぐにタッチパネル２から離す動作を２回繰り返す操作である。ロングタップ操作とは、指をタッチパネル２に接触させ、指がタッチパネル２に接触した状態を一定時間保った後に指をタッチパネル２から離す操作である。スイープ操作とは、指をタッチパネル２に接触させたままで移動させる操作である。スイープ操作は、タッチパネル２に表示されている何らかのオブジェクトがその操作に追随して移動する場合、ドラッグ操作と呼ばれることがある。フリック操作とは、指をタッチパネル２に接触させた後、素早く払うように指を一方方向に高速で移動させながら指を離す操作である。
【００２７】
表示部２Ｂは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、または無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等などで構成され、文字または図形等を表示する。表示部２Ｂは、制御部１０から入力される制御信号に従って各種の情報を表示する。
【００２８】
入力部３は、物理的なボタン等を通じて利用者の操作を受け付け、受け付けた操作に対応する信号を制御部１０へ送信する。すなわち、入力部３は、操作の入力を検出する操作部として機能する。電源部５は、蓄電池または外部電源から得られる電力を、制御部１０を含む携帯電話端末１の各機能部へ供給する。
【００２９】
通信部６は、基地局によって割り当てられるチャネルを介し、基地局との間でＣＤＭＡ方式などによる無線信号回線を確立し、基地局との間で電話通信及び情報通信を行う。レシーバ７は、制御部１０から送信される音声信号を音声として出力する。マイク８は、利用者等の音声を音声信号へ変換して制御部１０へ送信する。
【００３０】
記憶部９は、例えば、不揮発性メモリまたは磁気記憶装置であり、制御部１０での処理に利用されるプログラムおよびデータを保存する。記憶部９に記憶されるプログラムには、メールプログラム９Ａと、ブラウザプログラム９Ｂと、ロック画面制御プログラム９Ｃとが含まれる。また、記憶部９は、携帯電話端末１の基本的な機能を実現するオペレーティングシステムプログラム、アドレス帳データ等のその他のプログラムおよびデータも記憶する。本実施形態では、記憶部９は、テキストエディタ、画像ビューアー、および、スケジューラー等のアプリケーションを実行するためのアプリケーションプログラムを更に記憶するものとする。また、記憶部９は、データとして、ロック画面データ９Ｄを保存している。ここで、記憶部９は、メモリーカード等の可搬の記憶媒体と、記憶媒体の読み取り装置との組み合わせとして構成されていてもよい。
【００３１】
メールプログラム９Ａは、電子メール機能を実現するための機能を提供する。ブラウザプログラム９Ｂは、ＷＥＢブラウジング機能を実現するための機能を提供する。ロック画面制御プログラム９Ｃは、ロック画面を表示する表示部２Ｂを制御する機能、ロック画面の設定および解除する機能、ならびに、ロック画面上の設定オブジェクトに対応付けられたアプリケーションを起動する機能等を提供する。本実施形態では、テキストエディタは、文字列の入力、変換、削除等の文字編集機能を実現するための機能を提供する。また、画像ビューアーは、画像の取り込み、選択、編集、削除等の画像編集機能を実現するための機能を提供する。また、スケジューラーは、スケジュールの登録、選択、編集、削除等のスケジュール管理機能を実現するための機能を提供する。
【００３２】
ロック画面データ９Ｄは、ロック画面制御プログラム９Ｃを実行して表示する各種画像のデータを有する。ロック画面データ９Ｄは、ロック画面に表示させるオブジェクト、アイコン、メッセージ等のデータを記憶している。ここで、ロック画面とは、所定の操作を検出しない限り、待受画面に移行しない画面である。つまり、ロック画面は、所定の操作が入力されるまで、携帯電話端末１の種々の機能を操作できないロック状態にある場合に表示する画面である。本実施形態のロック画面は、所定の操作を検出する領域に入力された操作に基づいて表示を変更するオブジェクトを表示する。また、待受画面とは、電話の発着信を待ち受けている状態の画面、またはアプリケーションプログラムの起動を待ち受けている状態の画面（所謂、ホーム画面）である。換言すると、待受画面は、制御部１０が表示部２Ｂに表示させる複数のアプリケーションの操作画面へ画面が変わる前の画面である。操作画面は、携帯電話端末１が有するアプリケーションの機能を利用者に提供するための画面である。携帯電話端末１が有するアプリケーションの機能は、例えば、他の携帯電話端末との通話機能、メール送受信機能、携帯電話端末１が備えるカメラによる撮像機能、オーディオビジュアル機能、テキスト編集機能、画像編集機能、および、スケジュール管理機能などである。例えば、利用者は、予め好みの画像または時計等の状態表示を背景画面として設定している。ここで、背景画面は、壁紙（Ｗａｌｌ  Ｐａｐｅｒ）とも呼ばれる。
【００３３】
制御部１０は、例えば、ＣＰＵ（Ｃｅｎｔｒａｌ  Ｐｒｏｃｅｓｓｉｎｇ  Ｕｎｉｔ）であり、携帯電話端末１の動作を統括的に制御して各種の機能を実現する。具体的には、制御部１０は、記憶部９に記憶されているデータおよびＲＡＭ１１に展開したデータを必要に応じて参照しつつ、記憶部９に記憶されているプログラムに含まれる命令を実行して、表示部２Ｂおよび通信部６等を制御することによって各種機能を実現する。ここで、制御部１０が実行するプログラムおよび参照するデータは、通信部６による無線通信でサーバ装置からダウンロードすることとしてもよい。
【００３４】
制御部１０は、例えば、メールプログラム９Ａを実行することによって、電子メール機能を実現する。また、制御部１０は、ブラウザプログラム９Ｂを実行することによって、ＷＥＢブラウジング機能を実現する。また、制御部１０は、ロック画面制御プログラム９Ｃを実行することによって、ロック画面を表示する表示部２Ｂを制御する機能、ロック画面の設定および解除する機能、ならびに、ロック画面上の設定オブジェクトに対応付けられたアプリケーションを起動する機能等を実現する。また、制御部１０は、テキストエディタを実行することによって、文字編集機能を実現する。また、制御部１０は、画像ビューアーを実行することによって、画像編集機能を実現する。また、制御部１０は、スケジューラーを実行することによって、スケジュール管理機能を実現する。ここで、制御部１０は、オペレーティングシステムプログラムによって提供されるマルチタスク機能によって、複数のプログラムを並行して実行できるものとする。
【００３５】
ＲＡＭ１１は、制御部１０によって実行されるプログラムの命令、制御部１０が参照するデータ、制御部１０の演算結果等が一時的に記憶される記憶領域として利用される。
【００３６】
続いて、図３から図６Ｃを参照しながら、上述の携帯電話端末１の制御部１０が実行する制御の例について説明する。
【００３７】
まず、図３および図４Ａ〜図４Ｃを参照し、本実施形態にかかる携帯電話端末１の処理について説明する。図３は、携帯電話端末１の処理の一例を示すフローチャートである。ここで、図３に示す処理手順は、ロック画面制御プログラム９Ｃが提供する機能に基づいて繰り返し実行される。
【００３８】
図３に示すように、携帯電話端末１の制御部１０は、予め利用者によりロック状態に設定され、かつ、省電力モード（表示部２Ｂを消灯するモード）に移行されている状態から、省電力モード解除操作の入力が検出されたか否かを判定する（ステップＳＡ−１）。本実施形態において、省電力モード解除操作とは、入力部３（第１ボタン３Ａ等）により検出されるクリック操作としている。つまり、本実施形態では、利用者がクリック操作を行うことで省電力モードが解除される。
【００３９】
制御部１０は、ステップＳＡ−１において操作部により省電力モード解除操作の入力が検出されたと判定した場合（ステップＳＡ−１：Ｙｅｓ）、省電力モードを解除して、ロック画面を表示させるよう表示部２Ｂを制御する（ステップＳＡ−２）。制御部１０は、ステップＳＡ−２において省電力モードを解除することで、タッチパネル２への接触検出が可能な状態とする。
【００４０】
一方、制御部１０は、ステップＳＡ−１において操作部により省電力モード解除操作の入力が検出されなかったと判定した場合（ステップＳＡ−１：Ｎｏ）、ステップＳＡ−１に戻り、省電力モード解除操作の入力が検出されたと判定されるまで処理を繰り返す。つまり、携帯電話端末１は省電力が解除されるまで省電力モードとなる。
【００４１】
制御部１０は、表示部２Ｂがロック状態を示すロックオブジェクトを含むロック画面が表示している状態で、操作部により第１の操作の入力が検出されたか否かを判定する（ステップＳＡ−３）。
【００４２】
本実施形態において、第１の操作とは、タッチセンサ２Ａにより検出されるロック画面上のロックオブジェクトに対するフリック操作としている。ここで、ロック画面に含まれるロックオブジェクトとは、携帯電話端末１がロック状態にあることを示すオブジェクトである。ここで、第１の操作は、ロック画面上のロックオブジェクトに対するフリック操作によりロック画面からパスワード入力画面に移行し、当該パスワード入力画面にて数字等のパスワードを入力する操作も含んでいてもよい。
【００４３】
制御部１０は、ステップＳＡ−３において操作部により第１の操作の入力が検出されたと判定した場合（ステップＳＡ−３：Ｙｅｓ）、ロック状態を解除する（ステップＳＡ−４）。ここで、ロック状態を解除するとは、表示部２Ｂに表示されたロック画面から、例えばホーム画面または省電力モード前に起動されていた画面へと表示を切り替えるといった、操作内容に応じた各種アプリケーションを実行可能な状態にすることをいう。
【００４４】
制御部１０は、ステップＳＡ−４においてロック状態を解除した後、各種処理を実行する。具体的には、制御部１０は、タッチセンサ２Ａまたは操作部３で検出した操作に対応する処理（例えばホーム画面に表示したオブジェクトに対応するアプリケーションの起動、通話、メール送受信、または撮像等）を実行する（ステップＳＡ−５）。
【００４５】
制御部１０は、ステップＳＡ−５において各種処理を実行した後、操作部によりロック設定操作の入力が検出されたか否かを判定する（ステップＳＡ−６）。本実施形態において、ロック設定操作とは、入力部３（第１ボタン３Ａ等）により検出されるクリック操作としている。この他、制御部１０は、操作部（タッチセンサ２Ａおよび入力部３）にて所定時間、操作入力が検出されなかった場合にロック状態になるよう予め設定してもよい。つまり、操作部で操作入力が検出されなかった時間が所定時間を越えた場合、ロック設定操作が入力されたと判定する設定としてもよい。ここで、制御部１０は、ステップＳＡ−６の処理を一定時間毎に実行してもよい。
【００４６】
制御部１０は、ステップＳＡ−６において操作部によりロック設定操作の入力が検出されたと判定した場合（ステップＳＡ−６：Ｙｅｓ）、携帯電話端末１をロック状態に設定する（ステップＳＡ−７）。制御部１０は、ステップＳＡ−７でロック状態に設定したら、画面の表示を停止する。つまり、本実施形態において、制御部１０は、ステップＳＡ−６において入力部３にてクリック操作を検出すると、ステップＳＡ−７においてロック状態に設定した後、画面の表示を停止して、省電力モードに移行する。その後、携帯電話端末１は、ステップＳＡ−１に戻る。
【００４７】
一方、制御部１０は、ステップＳＡ−６において操作部によりロック設定操作の入力が検出されなかったと判定した場合（ステップＳＡ−６：Ｎｏ）、ステップＳＡ−５に進み、ステップＳＡ−６においてロック設定操作の入力が検出されたと判定されるまで処理を繰り返す。つまり、利用者は、ロック設定操作を行うまで、携帯電話端末１が有する各種機能（通話機能、メール送受信機能、撮像機能等）を利用する。
【００４８】
このように、本実施形態では、制御部１０は、操作部により第１の操作の入力が検出された場合（上記ステップＳＡ−３：Ｙｅｓに対応）、ロック状態を解除する（上記ステップＳＡ−４に対応）。制御部１０は、各種処理を実行後（上記ステップＳＡ−５に対応）、所定のアプリケーションにより生成される設定オブジェクトをロック画面に含めて表示させるよう表示部２Ｂを制御する（上記ステップＳＡ−６〜ＳＡ−７，ＳＡ−１〜ＳＡ−２に対応）。本実施形態において、設定オブジェクトとは、ロック画面上の所定領域に表示されるオブジェクトであり、所定のアプリケーションにより生成されるデータの少なくとも一部をリンク表示するものとする。
【００４９】
ここで、上記ステップＳＡ−３の処理に戻り、制御部１０による制御の説明を続ける。制御部１０は、ステップＳＡ−３において操作部により第１の操作の入力が検出されなかったと判定した場合（ステップＳＡ−３：Ｎｏ）、ステップＳＡ−８の処理へ移行する。すなわち、制御部１０は、ステップＳＡ−３で第１の操作の入力なしと判定した場合に、操作部により第２の操作の入力が検出されたか否かを判定する（ステップＳＡ−８）。
【００５０】
本実施形態において、第２の操作とは、タッチセンサ２Ａにより検出されるロック画面上の所定領域の設定オブジェクトに対するフリック操作としている。また、本実施形態において、第２の操作は、第１の操作と操作が検出されるタッチパネル２上の位置が異なる。このため、制御部１０は、第１の操作と第２の操作とを区別することができる。ここで、制御部１０は、第２の操作を第１の操作とより明確に区別可能にするため、例えば、第２の操作は右から左への横方向のフリック操作とし、第１の操作は第２の操作と逆の右から左への横方向のフリック操作として予め設定していてもよい。あるいは、制御部１０は、第２の操作は縦方向のフリック操作とし、第１の操作は横方向のフリック操作として予め設定していてもよい。また、制御部１０は、第２の操作は所定領域の設定オブジェクトに対するタップ操作とし、第１の操作はロックオブジェクトに対するフリック操作として予め設定していてもよい。
【００５１】
制御部１０は、表示部２Ｂがロック画面上に設定オブジェクトを表示している状態で、ステップＳＡ−８において操作部により第２の操作の入力が検出されたと判定した場合（ステップＳＡ−８：Ｙｅｓ）、ロック状態を一部解除して、当該設定オブジェクトに対応付けられたアプリケーションを起動する（ステップＳＡ−９）。ここで、ロック状態を一部解除するとは、ロック状態を完全に解除していない状態に移行することであり、具体的には予め設定したアプリケーションの操作画面を起動できるが、予め設定したアプリケーション以外のアプリケーションは起動できない状態に移行することをいう。つまり、本実施形態において、第２の操作の入力によりロック状態が一部解除されると、利用者は、設定オブジェクトに対応付けられたアプリケーションのみ利用可能となるが、その他のアプリケーションについては利用できないものとする。また、アプリケーションを起動するとは、表示部２Ｂに表示されたロック画面から、設定オブジェクトに対応付けられたアプリケーションを操作する操作画面へと表示を切り替えることをいう。
【００５２】
制御部１０は、ステップＳＡ−９においてアプリケーションを起動した後、利用者によりアプリケーションの操作が行われて、起動した当該アプリケーションにより設定オブジェクトの編集が完了したか否かを判定する（ステップＳＡ−１０）。本実施形態では、例えば、タッチセンサ２Ａにより、アプリケーションの操作を完了させる所定の操作を検出した場合、設定オブジェクトの編集が完了したと判定する。
【００５３】
制御部１０は、ステップＳＡ−１０において設定オブジェクトの編集が完了したと判定した場合（ステップＳＡ−１０：Ｙｅｓ）、ロック画面に戻り、ステップＳＡ−９にて利用者により編集された当該設定オブジェクトをロック画面上の所定領域に表示させるよう表示部２Ｂを制御する（ステップＳＡ−１１）。その後、ステップＳＡ−３の処理へ戻る。
【００５４】
一方、制御部１０は、ステップＳＡ−１０において設定オブジェクトの編集が完了していないと判定した場合（ステップＳＡ−１０：Ｎｏ）、ロック画面に戻らず、ステップＳＡ−１０において設定オブジェクトの編集が完了したと判定されるまで処理を繰り返す。つまり、利用者は、設定オブジェクトと対応付けられたアプリケーションを起動後、アプリケーションの処理が完了するまで、当該アプリケーションの機能のみを利用することになる。
【００５５】
ここで、再び上記ステップＳＡ−８の処理へ戻り、制御部１０は、ステップＳＡ−８で操作部により第２の操作の入力が検出されなかったと判定した場合（ステップＳＡ−８：Ｎｏ）、アプリケーションを起動せずに、ステップＳＡ−１２の処理へ移行する。
【００５６】
制御部１０は、操作部により何らかの操作の入力が検出されない待機時間が所定の閾値以上であるか否かを判定する（ステップＳＡ−１２）。
【００５７】
制御部１０は、ステップＳＡ−１２において待機時間が所定の閾値以上であると判定した場合（ステップＳＡ−１２：Ｙｅｓ）、省電力モードに移行する（ステップＳＡ−１３）。その後、処理を終了する。
【００５８】
一方、制御部１０は、ステップＳＡ−１２において待機時間が所定の閾値未満であると判定した場合（ステップＳＡ−１２：Ｎｏ）、ステップＳＡ−３の処理へ戻る。
【００５９】
ここで、本実施形態の携帯電話端末１の制御部１０は、上記ステップＳＡ−１０において設定オブジェクトの編集が行われる前に上記ステップＳＡ−２でロック画面を表示させる場合、ロック画面にアプリケーションを起動するための第２の操作を説明するガイダンス情報を含む設定オブジェクトを表示するよう表示部２Ｂを制御してもよい。本実施形態において、ガイダンス情報とは、アプリケーションの起動に必要な操作を説明する文字列データおよび記号データ等を含む。また、制御部１０は、上記ステップＳＡ−５にてアプリケーションが設定される前にステップＳＡ−２においてロック画面を表示させる場合、設定オブジェクトを含まず、ロック解除操作を行うためのロックオブジェクトのみを含むロック画面を表示させてもよい。また、制御部１０は、表示部２Ｂがロック画面にガイダンス情報を含む設定オブジェクトを表示する設定で、上記ステップＳＡ−１０において利用者による設定オブジェクトの編集が完了した場合、上記ステップＳＡ−１１において設定オブジェクトからガイダンス情報を削除し、編集された設定オブジェクトを代わりに表示するよう表示部２Ｂを制御する。
【００６０】
次に、図４Ａから図４Ｃを参照して、制御部１０の動作の一例を説明する。まず、図４Ａを参照して、制御部１０がアプリケーションとしてテキストエディタを予め設定した場合の一例について説明する。図４Ａは、携帯電話端末１が有するアプリケーションのうちテキストエディタを設定した場合の設定オブジェクトを含むロック画面の一例を示す図である。
【００６１】
具体的には、携帯電話端末１の制御部１０は、省電力モード解除操作を検出すると、図４Ａに示すように、ロック画面３０Ａを表示部２Ｂに表示させる。ロック画面３０Ａは、所定領域３４に設定オブジェクト３２Ａとしてメモオブジェクトが表示されている。また、図４Ａに示すロック画面３０Ａでは、画面左上に時刻を示す状態表示と、画面中央右側の所定領域３４に第２の操作により起動されるテキストエディタに関するガイダンス情報を含む設定オブジェクト３２Ａと、画面左下にロック解除操作を行うためのロックオブジェクト３６とが、表示されている。また、図４Ａにおいて、時刻を示す状態表示は、８時３８分を示す「０８：３８」である。また設定オブジェクト３２Ａ内のガイダンス情報は、テキストエディタを起動するための第２の操作を説明する文字列データ「横スライドをして文字入力」であり、利用者はこのガイダンスを見ることで、いかなる操作によってメモの更新を行う状態とするのかを理解することができる。
【００６２】
制御部１０は、図４Ａに示すロック画面３０Ａを表示している状態で、操作部により第１の操作（ロックオブジェクト３６を右方向に移動させる操作）の入力が検出された場合（上記ステップＳＡ−３：Ｙｅｓに対応）、ロック状態を解除する（上記ステップＳＡ−４に対応）。
【００６３】
ここで、図４Ｂを参照して、上述した図３のステップＳＡ−９において制御部１０がアプリケーションとしてテキストエディタを起動した場合の一例について説明する。図４Ｂは、テキストエディタを起動した場合の操作画面の一例を示す図である。
【００６４】
制御部１０は、上述の図４Ａに示すように、表示部２Ｂがロック画面３０Ａ上に設定オブジェクト３２Ａを表示している状態で、操作部により第２の操作の入力が検出された場合（上記ステップＳＡ−８：Ｙｅｓに対応）、ロック状態を一部解除して、図４Ｂに示すように、当該設定オブジェクト３２Ａに対応付けられたテキストエディタを起動する（上記ステップＳＡ−９に対応）。
【００６５】
つまり、制御部１０は、上述の図４Ａに示すロック画面３０Ａの所定領域３４に表示された設定オブジェクト３２Ａに対して操作部により第２の操作を検出した後、図４Ｂに示すテキストエディタの操作画面４０を起動する。ここで、図４Ｂに示す操作画面４０は、画面上半分の略全域に入力文字列を確認する表示領域４２と、画面中央左側にテキストエディタの処理を完了させる完了ボタンオブジェクト４４と、画面中央右側にテキストエディタの処理をキャンセルするキャンセルボタンオブジェクト４６と、文字列の入力を行うためのキーボードオブジェクト４８とが、表示されている。図４Ｂにおいて、完了ボタンオブジェクト４４と、キャンセルボタンオブジェクト４６と、キーボードオブジェクト４８は、タップ操作により操作可能とする。
【００６６】
このように、利用者は、携帯電話端末１に図４Ａに示す画面３０Ａが表示されている状態で、メモオブジェクトをスライドすることでメモ入力画面である操作画面（図４Ｂ参照）に遷移できる。また、ロックオブジェクト３６は、ロック解除するための第１の操作を行う対象となるオブジェクトである。本実施形態において、第１の操作および第２の操作は、指を横方向へスライドさせるフリック操作としている。
【００６７】
次に、図４Ｃを参照して、上述した図３のステップＳＡ−１１において制御部１０がアプリケーションとしてテキストエディタを起動して編集処理を行った後に表示するロック画面の一例について説明する。図４Ｃは、テキストエディタによる処理を反映させた設定オブジェクトを含むロック画面の一例を示す図である。
【００６８】
制御部１０は、上述した図４Ｂに示す起動したテキストエディタにより、上述した図４Ａに示す設定オブジェクト３２Ａの編集が完了した後（上記ステップＳＡ−１０：Ｙｅｓに対応）、図４Ｃに示すロック画面３０Ｂに戻り、編集された当該設定オブジェクト３２Ｂをロック画面３０Ｂ上の所定領域３４に表示させるよう表示部２Ｂを制御する（上記ステップＳＡ−１１に対応）。
【００６９】
つまり、制御部１０は、図４Ｂに示すキーボードオブジェクト４８から検出された入力に基づいて表示領域４２に入力文字列を表示させる。制御部１０は、図４Ｂに示す完了ボタンオブジェクト４４から入力が検出されると、テキストエディタの処理を終了し、図４Ｃに示すロック画面３０Ｂに戻る。ここで、図４Ｃに示すロック画面３０Ｂは、所定領域３４に表示された設定オブジェクト３２Ｂ以外、上述の図４Ａのロック画面３０Ａと同様である。図４Ｃにおいて、所定領域３４の設定オブジェクト３２Ｂには、上述の図４Ｂのテキストエディタの操作画面４０にて編集された文字列データが含まれている。上述の図４Ａの設定オブジェクト３２Ａでは、テキストエディタの編集による文字入力がされていない状態であったため、ガイダンス情報が表示されていたが、図４Ｃの設定オブジェクト３２Ｂでは、ガイダンス情報の代わりに、編集後の文字列データが表示されている。
【００７０】
このように、本実施形態によれば、アプリケーションとしてテキストエディタを設定した場合、ロック状態から、テキストエディタに該当する設定オブジェクトをフリック操作することで、ロックを完全に解除することなく、メモ入力画面（操作画面）を起動できる。また、本実施形態によれば、利用者が入力したメモの内容をロック画面上のテキストエディタに対応付けられた設定オブジェクトの中に表示させることができる。すなわち、本実施形態によれば、ロックを完全に解除することなく、ロック画面からのメモの入力を可能としているため、ロック解除操作を入力しなくてもメモの入力が可能となり、かつ、ロック画面上に入力したメモを表示させることできる。そのため、利用者はメモ内容を見る時に、ロックを完全に解除する必要がなく、利便性が向上する。
【００７１】
更に、本実施形態によれば、制御部１０は、利用者がメモ入力中には他のアプリケーションを呼び出すためのオブジェクトを表示させず、かつ、利用者がメモ入力を完了した後はすぐにロック画面に戻るよう制御する。これにより、予め設定したアプリケーション（この例ではテキストエディタ）以外のアプリケーションについては起動できない状態を維持することができる。また、メモの編集が終わると即座にロック状態に復帰させることができるので、予め設定したテキストエディタ以外の他のアプリケーションについて起動できないようにすることができる。つまり、本実施形態によれば、他のアプリケーションについては通常のロック機能を維持できるので、不正利用者等がロック機能を簡単に解除できないようにすることができる。そのため、本実施形態によれば、ロック画面の操作性および利便性を向上させると同時に、セキュリティ性も維持可能である。このように、本実施形態によれば、あたかもロック解除操作を行うことなく利用者が所望するアプリケーションを利用可能とすることができるかのように動作可能となり、例えば、漢字の確認、英単語のスペルの確認、あるいはメモの表示を容易に行うこともできる。
【００７２】
本実施形態の携帯電話端末１の制御部１０は、上記ステップＳＡ−５において、表示部２Ｂに表示される設定オブジェクトと対応付けるアプリケーションを設定する処理を実行可能とすることが好ましい。ここで、設定オブジェクトに対応するアプリケーションの選択は、第１の操作でロック状態を解除して各種操作（例えばホーム画面に表示したオブジェクトに対応するアプリケーションの起動、通話、メール送受信、または撮像等）を受け付ける状態になった後、利用者がメニュー画面等を呼び出して、設定オブジェクトに関するアプリケーションの紐付けを変更する項目を選択した場合に遷移する設定画面から行うものとする。
【００７３】
本実施形態の携帯電話端末１の制御部１０は、ロック状態を解除した状態で入力される操作により、表示部２Ｂに表示される設定オブジェクト３２Ａと対応付けるアプリケーションとしてテキストエディタを設定したが、設定オブジェクト３２Ａと対応付けるアプリケーションは、テキストエディタに限定されず、種々のアプリケーションを対応付けることができる。
【００７４】
次に、図５Ａ〜図５Ｃを参照して、制御部１０がアプリケーションとして画像ビューアーを予め設定した場合の一例について説明する。図５Ａは、携帯電話端末１が有するアプリケーションのうち画像ビューアーを設定した場合の設定オブジェクトを含むロック画面の一例を示す図である。図５Ｂは、画像ビューアーを起動した場合の操作画面の一例を示す図である。図５Ｃは、画像ビューアーによる処理を反映させた設定オブジェクトを含むロック画面の一例を示す図である。
【００７５】
具体的には、携帯電話端末１の制御部１０は、操作部により第１の操作の入力が検出された場合（上記ステップＳＡ−３：Ｙｅｓに対応）、ロック状態を解除する（上記ステップＳＡ−４に対応）。制御部１０は、各種処理を実行後（上記ステップＳＡ−５に対応）、表示部２Ｂに表示される設定オブジェクト５２Ａと対応付けるアプリケーションとして予め設定された画像ビューアーにより生成される設定オブジェクト５２Ａをロック画面５０Ａに含めて表示させるよう表示部２Ｂを制御する（上記ステップＳＡ−６〜ＳＡ−７，ＳＡ−１〜ＳＡ−２に対応）。
【００７６】
つまり、制御部１０は、図５Ａに示すように、ロック画面５０Ａの所定領域５４に設定オブジェクト５２Ａを表示部２Ｂに表示させる。ここで、図５Ａに示すロック画面５０Ａでは、画面左上に時刻を示す状態表示と、画面中央右側の所定領域５４に第２の操作により起動される画像ビューアーに関するガイダンス情報を含む設定オブジェクト５２Ａと、画面左下にロック解除操作を行うためのロックオブジェクト５６とが、表示されている。
【００７７】
また、図５Ａにおいて、時刻を示す状態表示は、８時３８分を示す「０８：３８」の状態表示である。また、設定オブジェクト５２Ａ内のガイダンス情報は、画像ビューアーを起動するための第２の操作を説明する文字列データ「横スライドをして写真選択」である。これにより、利用者は設定オブジェクトをスライドすることでファイルマネージャ画面である操作画面（図５Ｂ参照）に遷移できることが理解できる。また、ロックオブジェクト５６は、ロック解除するための第１の操作を行う対象となるオブジェクトである。本実施形態において、第１の操作および第２の操作は、指を横方向へスライドさせるフリック操作としている。
【００７８】
更に、制御部１０は、上述の図５Ａに示すように、表示部２Ｂがロック画面５０Ａ上に設定オブジェクト５２Ａを表示している状態で、操作部により第２の操作の入力が検出された場合（上記ステップＳＡ−８：Ｙｅｓに対応）、ロック状態を一部解除する。制御部１０は、図５Ｂに示すように、当該設定オブジェクト５２Ａに対応付けられた画像ビューアーを起動する（上記ステップＳＡ−９に対応）。制御部１０は、当該画像ビューアーによる画像選択が完了した後（上記ステップＳＡ−１０：Ｙｅｓに対応）、図５Ｃに示すロック画面５０Ｂに戻る。制御部１０は、選択された画像を含む設定オブジェクト５２Ｂをロック画面５０Ｂ上の所定領域５２Ｂに表示させるよう表示部２Ｂを制御する（上記ステップＳＡ−１１に対応）。
【００７９】
つまり、制御部１０は、図５Ａに示すロック画面５０Ａの所定領域５４に表示された設定オブジェクト５２Ａに対して操作部により第２の操作を検出した後、図５Ｂに示す画像ビューアーの操作画面６０を起動する。ここで、図５Ｂに示す操作画面６０では、画像データのサムネイル画像とファイル名とを対応付けた画像リストが表示されている。例えば、図５Ｂにおいて、画像リストは、ファイル名「写真Ａ」のサムネイル画像６２、ファイル名「写真Ｂ」のサムネイル画像６４、および、ファイル名「写真Ｃ」のサムネイル画像６６を含む画像リストが表示されている。図５Ｂにおいて、各サムネイル画像６２〜６６は、タップ操作により選択可能とする。
【００８０】
制御部１０は、操作部により図５Ｂに示すサムネイル画像６２が選択されたことを検出すると、画像ビューアーの処理を終了し、図５Ｃに示すロック画面５０Ｂに戻る。ここで、図５Ｃに示すロック画面５０Ｂは、所定領域５４に表示された設定オブジェクト５２Ｂ以外、上述の図５Ａのロック画面５０Ａと同様である。図５Ｃにおいて、所定領域５４の設定オブジェクト５２Ｂには、上述の図５Ｂの画像ビューアーの操作画面６０にて選択されたサムネイル画像６２に対応する写真Ａの画像データが含まれている。上述の図５Ａの設定オブジェクト５２Ａでは、画像ビューアーにより画像が選択されていない状態であったため、ガイダンス情報が表示されていたが、図５Ｃの設定オブジェクト５２Ｂでは、ガイダンス情報の代わりに、選択された画像が表示されている。
【００８１】
このように、本実施形態によれば、アプリケーションとして画像ビューアーを設定した場合、ロック状態から、画像ビューアーに該当する設定オブジェクトをフリック操作することで、ロックを完全に解除することなく、ファイルマネージャ画面（操作画面）を起動できる。更に、画像選択後はすぐにロック画面に戻り、選択した画像の内容は、ロック画面上の画像ビューアーに対応付けられた設定オブジェクトの中に表示させることができる。すなわち、利用者が見たい写真等の画像を、ロックを完全に解除することなく背景画像とは別の所定領域内に表示させることができる。そのため、所望の画像内容を見る時に、ロックを完全に解除する操作を行う必要がなく、利便性が向上する。
【００８２】
最後に、図６Ａ〜図６Ｃを参照して、制御部１０がアプリケーションとしてスケジューラーを予め設定した場合の一例について説明する。図６Ａは、携帯電話端末が有するアプリケーションのうちスケジューラーを設定した場合の設定オブジェクトを含むロック画面の一例を示す図である。図６Ｂは、スケジューラーを起動した場合の操作画面の一例を示す図である。図６Ｃは、スケジューラーによる処理を反映させた設定オブジェクトを含むロック画面の一例を示す図である。
【００８３】
具体的には、携帯電話端末１の制御部１０は、操作部により第１の操作の入力が検出された場合（上記ステップＳＡ−３：Ｙｅｓに対応）、ロック状態を解除する（上記ステップＳＡ−４に対応）。制御部１０は、各種処理を実行後（上記ステップＳＡ−５に対応）、表示部２Ｂに表示される設定オブジェクト７２Ａと対応付けるアプリケーションとして予め設定されたスケジューラーにより生成される設定オブジェクト７２Ａをロック画面７０Ａに含めて表示させるよう表示部２Ｂを制御する（上記ステップＳＡ−６〜ＳＡ−７，ＳＡ−１〜ＳＡ−２に対応）。
【００８４】
つまり、制御部１０は、図６Ａに示すように、ロック画面７０Ａの所定領域７４に設定オブジェクト７２Ａを表示部２Ｂに表示させる。ここで、図６Ａに示すロック画面７０Ａでは、画面左上に時刻を示す状態表示と、画面中央右側の所定領域７４に第２の操作により起動されるスケジューラーに関するガイダンス情報を含む設定オブジェクト７２Ａと、画面左下にロック解除操作を行うためのロックオブジェクト７６とが、表示されている。
【００８５】
また、図６Ａにおいて、時刻を示す状態表示は、８時３８分を示す「０８：３８」の状態表示である。また、設定オブジェクト７２Ａ内のガイダンス情報は、スケジューラーを起動するための第２の操作を説明する文字列データ「横スライドをしてスケジュール選択」である。これにより、利用者は設定オブジェクトをスライドすることでスケジュールリストを表示する操作画面（図６Ｂ参照）に遷移できることが理解できる。また、ロックオブジェクト７６は、ロック解除するための第１の操作を行う対象となるオブジェクトである。本実施形態において、第１の操作および第２の操作は、指を横方向へスライドさせるフリック操作としている。
【００８６】
更に、制御部１０は、上述の図６Ａに示すように、表示部２Ｂがロック画面７０Ａ上に設定オブジェクト７２Ａを表示している状態で、操作部により第２の操作の入力が検出された場合（上記ステップＳＡ−８：Ｙｅｓに対応）、ロック状態を一部解除する。制御部１０は、図６Ｂに示すように、当該設定オブジェクト７２Ａに対応付けられたスケジューラーを起動する（上記ステップＳＡ−９に対応）。制御部１０は、当該スケジューラーによるスケジュールの選択が完了した後（上記ステップＳＡ−１０：Ｙｅｓに対応）、図６Ｃに示すロック画面７０Ｂに戻る。制御部１０は、選択されたスケジュールを含む設定オブジェクト７２Ｂをロック画面７０Ｂ上の所定領域７２Ｂに表示させるよう表示部２Ｂを制御する（上記ステップＳＡ−１１に対応）。
【００８７】
つまり、制御部１０は、図６Ａに示すロック画面７０Ａの所定領域７４に表示された設定オブジェクト７２Ａに対して操作部により第２の操作を検出した後、図６Ｂに示すスケジューラーの操作画面８０を起動する。ここで、図６Ｂに示す操作画面８０では、時刻と内容を記載した複数のスケジュール項目を含むスケジュールリストが表示されている。例えば、図６Ｂにおいて、スケジュールリストは、時刻「９：３０」と内容「会議」とを対応付けたスケジュール項目８２、時刻「１３：００」と内容「Ａ社訪問」とを対応付けたスケジュール項目８４、および、時刻「１９：００」と内容「ジム」とを対応付けたスケジュール項目８６を含むスケジュールリストが表示されている。図６Ｂにおいて、各スケジュール項目８２〜８６は、タップ操作により選択可能とする。
【００８８】
制御部１０は、操作部により図６Ｂに示すスケジュール項目８２が選択されたことを検出すると、スケジューラーの処理を終了し、図６Ｃに示すロック画面７０Ｂに戻る。ここで、図６Ｃに示すロック画面７０Ｂは、所定領域７４に表示された設定オブジェクト７２Ｂ以外、上述の図６Ａのロック画面７０Ａと同様である。図６Ｃにおいて、所定領域７４の設定オブジェクト７２Ｂには、上述の図６Ｂのスケジューラーの操作画面８０にて選択されたスケジュール項目８２に対応する画像データが含まれている。上述の図６Ａの設定オブジェクト７２Ａでは、スケジューラーによりスケジュールが選択されていない状態であったため、ガイダンス情報が表示されていたが、図６Ｃの設定オブジェクト７２Ｂでは、ガイダンス情報の代わりに選択されたスケジュールが表示されている。
【００８９】
ここで、制御部１０は、スケジュール項目８２〜８６の時刻と、現在時刻とが近い順に設定オブジェクト７２Ｂとして表示部２Ｂの所定領域７４に表示させてもよい。例えば、図６Ｃに示すように、現在時刻が「０８：３８」である場合、制御部１０は、現在時刻に近い時刻「９：３０」に設定されたスケジュール項目８２「会議」を表示部２Ｂの所定領域７４に表示させてもよい。また、現在時刻が「９：３０」を過ぎた場合、制御部１０は、次に現在時刻に近い時刻「１３：００」に設定されたスケジュール項目８４「Ａ社訪問」を表示部２Ｂの所定領域７４に表示させてもよい。同様に、現在時刻が「１３：００」を過ぎた場合、制御部１０は、次に現在時刻に近い時刻「１９：００」に設定されたスケジュール項目８６「ジム」を表示部２Ｂの所定領域７４に表示させてもよい。
【００９０】
このように、本実施形態によれば、アプリケーションとしてスケジューラーを設定した場合、ロック状態から、スケジューラーに該当する設定オブジェクトをフリック操作することで、ロックを完全に解除することなく、スケジュールリスト表示画面（操作画面）を起動できる。更に、スケジュール選択後はすぐにロック画面に戻り、選択したスケジュールの内容は、ロック画面上のスケジューラーに対応付けられた設定オブジェクトの中に表示させることができる。すなわち、利用者が見たいスケジュールの内容を、ロック解除操作を行うことなく表示させることができる。更に、現在時刻と連動させてスケジューラーに設定されたスケジュールを設定オブジェクトとしてリンク表示させることもできる。そのため、所望のスケジュール内容を見る時に、ロック解除操作を行う必要がなく、利便性が向上する。
【００９１】
上述の実施形態において、ロック画面がロック状態を示すロックオブジェクトを含む例について説明したが、必ずしもロック画面は、ロック解除操作を入力する場合にタッチセンサ２Ａの操作対象となるロックオブジェクトを含まなくてもよい。例えば、入力部３により入力される操作を、ロック状態を解除するための第１の操作としてもよい。また、上述の実施形態において、ロックオブジェクトが所定領域に表示される例について説明したが、必ずしもロックオブジェクトは、所定領域内に表示されなくてもよく、ロック画面中の任意に位置に表示されてもよいものとする。
【００９２】
ここで、本実施形態の携帯電話端末１の制御部１０は、複数種類のロック状態を設定可能とすることが好ましい。例えば、制御部１０は、第三者の不正利用を防止するための第１のロック状態、および、誤操作を防止するための第２のロック状態の２つのロック状態を設定可能とすることが好ましい。第１のロック状態とは、ロック画面上のロックオブジェクトに対するフリック操作の後に、パスワード入力操作などの認証操作を要求し、パスワードが一致した場合にロック解除する、いわゆる不正利用防止用のロック状態である。また、第２のロック状態とは、ロック画面上のロックオブジェクトに対するフリック操作の後にパスワード入力操作などの認証操作を要求せずにロック解除する、いわゆる誤操作防止用のロック状態である。
【００９３】
携帯電話端末１の制御部１０は、携帯電話端末１のロック状態の種類によって処理内容を変更してもよい。つまり、制御部１０は、ロック状態を完全に解除しない状態で実行可能とする処理の内容をロック状態の種類によって変更してもよい。本実施形態において、制御部１０は、入力部３にて検出されるロック設定操作の内容によって、ロック状態を第１のロック状態または第２のロック状態のいずれかに設定するものとする。例えば、上述の図３の上記ステップＳＡ−７においてロック設定する際、制御部１０は、入力部３にてロック設定操作として一定時間長押しするロングクリック操作を検出した場合、不正利用防止用の第１のロック状態に設定してもよい。また、制御部１０は、入力部３にてロック設定操作としてクリック操作を検出した場合、誤操作防止用の第２のロック状態に設定してもよい。
【００９４】
まず、ロック状態が第１のロック状態である場合の制御部１０の処理について説明する。制御部１０は、ロック状態が第１のロック状態である場合は、操作部により第２の操作の入力が検出されると、第１のロック状態を一部解除して、設定オブジェクトに対応付けられたアプリケーションを起動する。具体的には、制御部１０は、設定オブジェクトに対応付けられたアプリケーションを起動させる第２の操作の入力が操作部により検出されると（上記ステップＳＡ−８に対応）、第１のロック状態を一部解除する。制御部１０は、設定オブジェクトに対応付けられたアプリケーションのみを起動させる（上記ステップＳＡ−９に対応）。制御部１０は、操作部により設定オブジェクトに対応付けられたアプリケーションの操作が完了したことが検出されると（上記ステップＳＡ−１０に対応）、即座に第１のロック状態に設定されたロック画面を表示部２Ｂに表示させる（上記ステップＳＡ−１１に対応）。
【００９５】
次に、ロック状態が第２のロック状態である場合の制御部１０の処理について説明する。制御部１０は、ロック状態が第２のロック状態である場合は、操作部により第２の操作の入力が検出されると、第２のロック状態を一部解除して、設定オブジェクトに対応付けられたアプリケーションを起動し、更に、設定オブジェクトに対応付けられたアプリケーション以外の他のアプリケーションおよび記憶データのショートカットをロック画面上に設定可能する。具体的には、制御部１０は、設定オブジェクトに対応付けられたアプリケーションを起動させる第２の操作の入力が操作部により検出されると（上記ステップＳＡ−８に対応）、第２のロック状態を一部解除する。制御部１０は、設定オブジェクトに対応付けられたアプリケーションを起動させる（上記ステップＳＡ−９に対応）。更に、制御部１０は、当該アプリケーションを起動中に、入力部３（第２ボタン３Ｂ等）にてクリック操作が検出された場合、その他のアプリケーションおよび記憶データをロック画面中のショートカットとして登録するための操作画面を表示部２Ｂに表示させる。制御部１０は、操作部により設定オブジェクトに対応付けられたアプリケーションの操作（または、ショートカット登録の操作）が完了したことが検出されると（上記ステップＳＡ−１０に対応）、即座に第２のロック状態に設定されたロック画面を表示部２Ｂに表示させる（上記ステップＳＡ−１１に対応）。
【００９６】
このように、本実施形態によれば、各ロック状態によって異なるセキュリティレベルに応じて、ロック画面の操作性および利便性と、セキュリティ性とのバランスを調整することができる。すなわち、本実施形態によれば、第１のロック状態が設定された場合にロック画面から操作可能な動作を極力制限することができ、不正利用防止のセキュリティ性を維持しつつ、ロック画面の利便性を向上させることができる。また、本実施形態によれば、第２のロック状態が設定された場合にロック画面から操作可能な動作を第１のロック状態と比べて自由に設定することができ、誤操作防止用のロック画面の利便性を向上させることができる。
【符号の説明】
【００９７】
１  携帯電話端末（携帯電子機器）
２  タッチパネル
２Ａ  タッチセンサ（操作部）
２Ｂ  表示部
３  入力部（操作部）
３Ａ  第１ボタン
３Ｂ  第２ボタン
５  電源部
６  通信部
７  レシーバ
８  マイク
９  記憶部
９Ａ  メールプログラム
９Ｂ  ブラウザプログラム
９Ｃ  ロック画面制御プログラム
９Ｄ  ロック画面データ
１０  制御部
１１  ＲＡＭ
２０  筐体
３０Ａ，３０Ｂ  ロック画面
３２Ａ，３２Ｂ  設定オブジェクト
３４  所定領域
３６  ロックオブジェクト
４０  操作画面
４２  表示領域
４４  完了ボタンオブジェクト
４６  キャンセルボタンオブジェクト
４８  キーボードオブジェクト
５０Ａ，５０Ｂ  ロック画面
５２Ａ，５２Ｂ  設定オブジェクト
５４  所定領域
５６  ロックオブジェクト
６０  操作画面
６２，６４，６６  サムネイル画像
７０Ａ，７０Ｂ  ロック画面
７２Ａ，７２Ｂ  設定オブジェクト
７４  所定領域
７６  ロックオブジェクト
８０  操作画面
８２，８４，８６  スケジュール項目
【図１】
0005712084.tif 000002
【図２】
0005712084.tif 000003
【図３】
0005712084.tif 000004
【図４Ａ】
0005712084.tif 000005
【図４Ｂ】
0005712084.tif 000006
【図４Ｃ】
0005712084.tif 000007
【図５Ａ】
0005712084.tif 000008
【図５Ｂ】
0005712084.tif 000009
【図５Ｃ】
0005712084.tif 000010
【図６Ａ】
0005712084.tif 000011
【図６Ｂ】
0005712084.tif 000012
【図６Ｃ】
0005712084.tif 000013